(57)【要約】  本開示は、冷却流（１４）からガスタービンの高温ガス流路を分離するための冷却式の壁（１，２）に関するものであって、冷却式の壁（１，２）の熱伝達を向上させるために、壁から冷却流（４）内に延び、高さ（ｈ）、幅（ｗ）を有する少なくとも１つの乱流体リブ（５）を有している。乱流体リブ（５）は、その根元にフィレット半径（Ｒ１）を備えたフィレットを有している。乱流体リブの熱伝達向上を増大させるために、乱流体リブ（５）の下流側のフィレットは、侵入深さ（δ）で冷却式の壁（１，２）の内部に向かって延びている。更に、本開示は、乱流体リブを備える冷却式の壁が、翼の側壁として、燃焼器壁として、又はヒートシールドとして構成されている、特定の構成にも関する。
2015511679.tif 000002
【特許請求の範囲】
【請求項１】
冷却流（１４）からガスタービンの高温ガス流路を分離するための、冷却式の壁（１，２）であって、冷却される壁（５）から冷却流（１４）内に向かって延びる、少なくとも１つの乱流体リブ（５）を有しており、該乱流体リブ（５）は、該乱流体リブ（５）の根元にフィレットを有しているものにおいて、
前記乱流体リブ（５）の少なくとも一方の側におけるフィレットは、冷却式の壁（１，２）の内部に向かって延びていることを特徴とする、冷却式の壁。
【請求項２】
少なくとも、運転中の前記冷却流（１４）に関して前記乱流体リブ（５）の下流側にある前記フィレットは、前記冷却式の壁（１，２）の内部に向かって延びている、請求項１記載の冷却式の壁。
【請求項３】
前記冷却式の壁（１，２）の内部に向かって延びている前記フィレットと、後続の乱流体リブ（５）の開始部との間の移行部は、直線状である、請求項１又は２記載の冷却式の壁。
【請求項４】
前記冷却式の壁（１，２）の内部に向かって延びている前記フィレットと、後続の乱流体リブ（５）の開始部との間の移行部は、前記フィレットの曲率よりも小さな曲率で曲げられている、請求項１又は２記載の冷却式の壁。
【請求項５】
前記乱流体リブ（５）の両側に、側壁（１，２）の内部に向かって延びるフィレットが設けられている、請求項１から４までのいずれか１項記載の冷却式の壁。
【請求項６】
前記冷却式の壁（１，２）の内部に向かって延びる前記フィレットと、完全な壁厚（ｔ）を有する隣接する壁区分との間の移行部は、直線状である、請求項５記載の冷却式の壁。
【請求項７】
前記冷却式の壁（１，２）の内部に向かって延びる前記フィレットと、完全な壁厚（ｔ）を有する隣接する壁区分との間の移行部は、フィレットの曲率よりも小さな曲率で曲げられている、請求項５記載の冷却式の壁。
【請求項８】
前記フィレットは、半径（Ｒ１）を有しており且つ該フィレット半径（Ｒ１）の０．５〜１．５倍の侵入深さ（δ）で前記冷却式の壁（１，２）の内部に向かって侵入している、請求項１から７までのいずれか１項記載の冷却式の壁。
【請求項９】
前記側壁（１，２）の内部に向かって延びている前記フィレットの侵入深さ（δ）は、前記フィレット半径（Ｒ１）よりも小さい、請求項１から７までのいずれか１項記載の冷却式の壁。
【請求項１０】
前記側壁（１，２）の内部に向かって延びている前記フィレットの侵入深さ（δ）は、前記壁厚（ｔ）の１／４未満である、請求項１から９までのいずれか１項記載の冷却式の壁。
【請求項１１】
前記乱流体リブ（５）は、幅（ｗ）を有しており、少なくとも２つの乱流体リブ（５）が、２つの後続の乱流体リブ（５）の間に間隔（Ｌ）を置いて配置されており、前記乱流体リブ幅（ｗ）は、２つの後続の乱流体リブ（５）の間の間隔（Ｌ）の５％〜２０％である、請求項１から１０までのいずれか１項記載の冷却式の壁。
【請求項１２】
前記冷却式の壁（１，２）は、高温ガス流路から冷却流路（４）を分離する冷却アセンブリの側壁（１，２）であり、乱流体リブの高さ（ｈ）は、前記冷却流路（４）の高さ（Ｈ）の５％〜２０％である、請求項１から１１までのいずれか１項記載の冷却式の壁。
【請求項１３】
前記乱流体リブ（５）は、前記冷却式の壁（１，２）の一体部分であり且つ／又は前記冷却式の壁（１，２）と前記乱流体リブ（５）とは、１体の鋳造部品である、請求項１から１２までのいずれか１項記載の冷却式の壁。
【請求項１４】
前記冷却式の壁（１，２）は、翼（３）の側壁（１，２）であり、前記翼（３）は、第１の側壁（１）と、対向する第２の側壁（２）とを有しており、これらの第１及び第２の側壁は、前縁と後縁とにおいて互いに結合されていて、根元部から先端部まで長手方向に延びており、前記翼（３）は内部冷却流路（４）を有しており、該内部冷却流路（４）は、前記翼（３）を冷却する冷却媒体を案内するために、前記第１及び第２の側壁（１，２）間で長手方向に延びている、請求項１から１３までのいずれか１項記載の冷却式の通路。
【請求項１５】
前記冷却式の壁（１，２）は、ガスタービンの高温ガス通路内に設けられたヒートシールドであるか、又はガスタービンのバーナ又は燃焼室の側壁である、請求項１から１３までのいずれか１項記載の冷却式の通路。
【発明の詳細な説明】
【技術分野】
【０００１】
本開示は、熱伝達を高めるための乱流体を備えた冷却式の壁に関する。
【０００２】
背景技術
従来型のガスタービンでは、圧縮機が空気を加圧し、加圧された空気は燃焼器に案内されて燃料と混合され、燃焼ガスを発生させるために点火される。燃焼ガスは、燃焼器の下流側に配置されたタービンに流入する。タービンは、圧縮機及び発電機を駆動するために、エネルギを高温燃焼ガスから取り出す。
【０００３】
従来型のタービンは、典型的には反応によって燃焼ガスからエネルギを取り出す静翼と動翼の１つ又は複数の段を有している。燃焼器、動翼及び静翼は、ガスタービンエンジンにおける許容可能な寿命を与えるために、圧縮機により加圧された空気の一部によって、典型的には空冷される。しかしながら、高温ガス通路部材（燃焼器、動翼、静翼等）を冷却するために利用される圧縮空気の如何なる部分も、燃焼のためには利用することができず、このことはエンジンの全体効率及び出力を低下させる。よって、高温ガス部材の比較的長い耐用年数の獲得と矛盾することなしに、高温ガス通路部材、特に動翼及び静翼の冷却において、可能な限り少量の圧縮空気を使用することが望ましい。このことは、典型的には細長い乱流体リブのような、熱伝達を高める要素を高温ガス通路部材の冷却側に供給することにより成し遂げられる。
【０００４】
例えば燃焼ガスが流れる翼部分のような、ガスタービンエンジン高温ガス通路部材は、典型的には冷却空気を案内するための内部通路を備えた冷却側壁を有している。本明細書で用いられる高温ガス通路部材という用語は、バーナ壁、燃焼器壁又はライナ、並びに動翼又は静翼のような、高温燃焼ガスが流れるガスタービンエンジン流路内に配置されたあらゆる要素を意味する。動翼又は静翼は、以下の説明では、単にブレードと云う。
【０００５】
典型的には冷却される翼内で使用される乱流体リブは、通常、ブレード鋳造部分として形成されていて、冷却空気が案内されるブレードの内部冷却通路の内側に向かって突出している。リブは、内面から剥離され且つリブの下流側で再び付着させられる冷却空気境界層を剥離又は崩壊させることにより、ブレードの内面に沿った対流熱伝達率を向上させる。前記熱伝達率の向上は通常、リブによりもたらされる対流熱伝達率を、乱流体リブを有さない平滑面上での対流熱伝達率によって除したものと定義され、後者の値の数倍に達する値を有している。典型的には、他の高温ガス通路部材のリブも、例えば鋳造中に高温ガス通路部材の部分として一体的に成形される。
【０００６】
熱伝達率の向上は通常、内部通路の内側に向かうリブの高さ又は突出量、内部通路の対向する壁間の距離、及びリブ間の長手方向距離又は間隔に関係する。典型的な乱流体リブは、冷却流の方向に対して垂直に配置されたリブ、冷却空気流の方向に対して傾斜したリブ、及び内部通路の対向する壁に、長手方向に見て一列に又は互いにずらされて配置されたリブ、を含んでいてよい。
【０００７】
乱流体リブは、局所的に増大された熱伝達率向上をもたらし、このことは、各個別のリブの下流側の値を急速に低下させる。冷却される壁面に沿って概ね均一な冷却向上を得るために、リブは、典型的にはそれぞれ構成、高さ又は内部通路の内側に向かう突出量、及び長手方向間隔において同一である。
【０００８】
種々様々な従来型の乱流体リブに基づき、熱伝達率が向上する量はそれぞれ異なっていることに加え、これに付随して圧力損失が生ぜしめられる。リブは、内部通路の内側に向かって突出し且つ内部通路を通流する冷却空気の自由流れを部分的に遮断するため、冷却空気の流れに対する抵抗を生ぜしめており、その結果、圧力損失が生ぜしめられる。より高いリブの方が一般に熱伝達率向上を増大させるが、これに付随して圧力低下も増大してしまう。よって、乱流体リブの効果は、有効な熱伝達率向上を、これに付随する望ましくないレベルの圧力損失無しでもたらす能力によって評価されねばならない。
【０００９】
冷却を向上させるための従来型の理想的な乱流体リブを備えた冷却式の壁１，２の一部が図２に示されている。冷却式の壁１，２は、壁厚さｔを有している。高温側１５の表面は平滑であり、乱流体リブ５は冷却流１４内に延びる高さｈと幅ｗとを有している。理想的な乱流体リブは、熱伝達を良好に向上させるために、その先端部及び根元に鋭角の角隅部を有している。乱流体リブは、間隔ｐをおいて離されている。
【００１０】
図２に示した理想的な乱流体リブが熱伝達を良好に向上させるとしても、その形状は通常、実際的な理由から実現され得ない。鋭角部の製造は通常、機械加工を必要とする。しかしながら、ガスタービンの高温ガス部材の多くは鋳造品であることから、最低限の半径が要求される。更に、高温ガス部材は、典型的にはコーティングされる。コーティング材料は、鋭い角隅部を平滑にして、あらゆるカーブ形状の半径を増大させる傾向がある。実際には、乱流体リブ５を備えた冷却式の壁１，２は、図２に示した理想的な形状からは解離していて、乱流体リブ５は、丸み付けられた角隅部を有している。図３には、冷却向上のために、実際の従来型の乱流体リブ５を備えた冷却式の壁１，２の一部が示されている。乱流体５の根元は、半径Ｒ１を有するフィレットを備えて形成されており、先端部は、半径Ｒ２で丸み付けられている。
【００１１】
開示の要約
本開示の一つの側面は、高温ガス流路を冷却流路から分離する、ガスタービン用の冷却式の壁を提案することにある。この冷却式の壁は、乱流体リブの丸み付けられた先端部の輪郭と根元のフィレットとによる乱流体リブの冷却効率の損失を、少なくとも部分的に補償する。更に、翼の側壁、ヒートシールド、バーナ又は燃焼室を形成するこのような冷却式の壁が、開示の対象となる。本開示の付加的な構成は、従属請求項に記載されている。
【００１２】
このような、ガスタービン内の高温ガス流を冷却流路から分離するための冷却式の壁は、壁から冷却通路の内側に向かって延びる、少なくとも１つの乱流体リブを有している。乱流体リブは更に、この乱流体リブの根元における、フィレット半径を有するフィレットと、先端部半径を有する、先端部における典型的には丸み付けられた角隅部とを有している。第１の構成において、乱流体リブの少なくとも一方の側におけるフィレットは、冷却式の壁の内部に向かって延びている。フィレットは、典型的には所定の半径を有していて、冷却式の壁に凹所を形成している。フィレット又は凹所は、リブに隣接する壁の厚さを局所的に減少させる。フィレットは、リブの一方の側から冷却式の壁までの、平滑な移行部を形成しており、リブの前記一方の側は、典型的には冷却式の壁に対して垂直になっている。フィレットは、弧の形状を有していてよい。この弧の中心角は、９０°よりも大きい。典型的には、弧は円弧である。弧の一方の端部は、リブの一方の側に対する接線である。弧の他方の端部は、側壁の高温側から離間する方向に向けられた角度で傾斜されている。
【００１３】
提案した、リブに隣接する平滑な弧を形成するフィレットによる壁厚さの局所的な減少は、ブレードの結合性を保つと共に、圧力損失の目立った増大をもたらすことはない。乱流促進体の高さは最適に選択され、製造プロセス（鋳造、コーティング）の不備が避けられる。１つの構成では、フィレットによる壁厚さの局所的な減少は、隣接する２つのリブ間の間隔の５０％にまで至る。別の構成では、フィレットによる壁厚さの局所的な減少は、隣接する２つのリブ間の間隔の２０％にまで至る。
【００１４】
フィレットは、更なる熱伝達向上のために、所定の侵入深さで冷却式の壁の内部に向かって延びている。
【００１５】
運転中、冷却流は冷却流路を通流する。１つの構成では、運転中の冷却流に対して乱流体リブの下流側にあるフィレットは、冷却式の壁の内部に向かって延在している。
【００１６】
典型的には、冷却流は、冷却式の壁の表面に対して平行な主方向に流れる。
【００１７】
別の構成では、冷却式の壁の内部に向かって延びるフィレットと、冷却式の壁の、後続の乱流体リブの開始部との間の移行部は、直線状である。
【００１８】
択一的な構成において、側壁の内部に向かって延びるフィレットと、後続の乱流体リブの開始部との間の移行部は、フィレットの曲率よりも小さな曲率で曲げられている。
【００１９】
付加的に、乱流体リブの上流側で冷却式の壁の内部に向かって延びているフィレットが、更なる熱伝達向上のために設けられてよい。つまり、乱流体リブの両側に、側壁の内部に向かって延びるフィレットが設けられてよい。
【００２０】
上流側のフィレットは、所定の侵入深さで、冷却式の壁の内部に向かって延在している。
【００２１】
１つの構成では、侵入深さは、フィレットの両側で同じであってよい。
【００２２】
乱流体リブの上流側と下流側とにおいて、側壁の内部に向かって延在するフィレットを備えた冷却式の壁は、側壁の内部に向かって延びているフィレットと、完全な壁厚を有する隣接する壁区分との間に移行領域を有している。１つの構成では、この移行部は直線状である。択一的な構成では、前記移行部は、フィレットの曲率よりも小さな曲率で曲げられている。
【００２３】
乱流体リブによって生ぜしめられる乱流の増大に加え、更に側壁の内部に向かって延びているフィレットは、熱伝達のための有効表面をも増大させる。よって、フィレットは熱伝達率と、有効熱伝達面積とを増大させる。乱流体リブの丸み付けられた先端部と、根元のフィレットの不都合な影響を補償するために、フィレットは、冷却式の壁の内部に向かう最低限の侵入深さを必要とする。しかしながら、深い侵入は、壁の機械的な強度を低下させしまうので、侵入深さは制限されている。１つの構成では、冷却式の壁の内部に向かうフィレットの侵入深さは、フィレット半径の０．５〜１．５倍である。別の構成では、侵入深さはフィレット半径よりも小さくなっている。
【００２４】
更に別の構成では、侵入深さは、冷却式の壁の厚さに直接に関係している。この場合、侵入深さは、壁厚さ（ｔ）の１／４に制限されている。より具体的な構成では、侵入深さは、冷却式の壁の厚さの２％〜２０％の範囲に制限されている。
【００２５】
乱流体リブを備える冷却式の壁の内部に向かって延びるフィレットの相互作用は、乱流体の先端部の幅、高さ及び後続の乱流体リブの間の間隔に左右される。顕著なポジティブな効果を奏するために、後続の乱流体リブの間の間隔に対する乱流体の先端部の幅の比は、大きすぎるべきではない。更に、乱流体間には最低限の間隔が必要とされる。好適には、乱流体の先端部の幅は、２つの後続の乱流体リブの間の間隔の５％〜２０％である。
【００２６】
１つの構成では、冷却式の壁は、高温ガス流路から冷却流路を分離する冷却アセンブリの冷却式の壁として構成されている。冷却流路内に延在するフィレットは、乱流体リブの高さが、隣接する冷却流路の高さの５％〜２０％である場合に、乱流体リブの効果を最も良く増大させる。
【００２７】
１つの構成では、乱流体リブは、冷却式の壁の一体部分である。典型的には、側壁と乱流体リブとは、一体に鋳造されている。
【００２８】
本開示の対象となるものは、冷却式の壁自体の他にも、冷却式の壁の特定の応用がある。
【００２９】
特定の構成では、乱流体リブを備えた冷却式の壁は、翼の側壁として構成されている。翼は、第１の側壁と、対向する第２の側壁とを有しており、第１及び第２の側壁は、前縁と後縁とにおいて互いに結合されていて、根元から先端部まで、長手方向に延びている。翼は更に、内部冷却流路を有しており、この内部冷却流路は、前記第１及び第２の側壁間で長手方向に延びていて、翼を冷却するための冷却媒体を案内する。翼自体は、タービンブレードの部品である。
【００３０】
択一的な構成では、冷却式の壁は、ガスタービンの高温ガス通路内のヒートシールドとして構成されているか、ガスタービンのバーナ又は燃焼器の側壁として構成されている。
【００３１】
付加的に、冷却式の壁は、冷却流路側に表面コーティングを有していてよい。典型的には、このような表面コーティングは、酸化防止コーティングとして構成されている。
【００３２】
冷却される部材の高温ガス通路側は、典型的には断熱コーティングで被覆されている。
【００３３】
以下に、添付の図面に基づき本開示、その性質並びにその利点をより詳細に説明する。
【図面の簡単な説明】
【００３４】
【図１】圧縮機と、燃焼器と、タービンとを有するガスタービン制御システムの一例を示す図である。
【図２】冷却を向上させるための従来型の理想的な乱流体リブを備える冷却式の壁の一部を示した図である。
【図３】冷却を向上させるための従来型の実際の乱流体リブを備える冷却式の壁の一部を示した図である。
【図４】冷却を向上させるために乱流体リブの下流側で冷却式の壁の内部に向かって延びているフィレットを備えた乱流体リブの典型的な実施形態の一部を示した図である。
【図５】乱流体リブの下流側で冷却式の壁の内部に向かって延びているフィレットと、乱流体リブの上流側で冷却を向上させるために冷却式の壁の内部に向かって延びているフィレットとを備えた乱流体リブの典型的な実施形態の一部を示した図である。
【図６】内部冷却ダクトと、側壁に設けられた乱流体リブとを備えた翼の典型的な断面図である。
【図７】ガスタービン翼の側壁に設けられた乱流体リブの典型的な配置を示す図である。
【００３５】
詳細な説明
同一の、又は機能的に同一の要素には、同じ符号が用いられる。記載された値及び寸法は例示された値に過ぎず、このような寸法又は実施形態に限定されるものではない。
【００３６】
図１にはガスタービン１０の一例が示されている。圧縮機８が、流入空気６を加圧する。圧縮された空気は燃焼器９に案内されて、燃料１２と混合され、燃焼ガスを発生させるために点火される。燃焼ガスは、燃焼器９の下流側に配置されたタービン１１に流入する。タービン１１は、圧縮機及び発電機１３を運転するためのエネルギを、高温の燃焼ガスから取り出す。排出ガス７の熱は、典型的には引き続き、後続のＨＲＳＧ（heat recovery steam generator／排熱回収ボイラ）において、水蒸気サイクル用の蒸気を発生させてプロセス熱を得るために使用される（図示せず）。例えばバーナ壁、ライナ、ヒートシールド等の、高温燃焼ガスの流路を包囲する部材の壁、並びにタービン１１内の高温ガスに晒されるブレードは、典型的には冷却空気又は蒸気等の冷却媒体で冷却される。冷却側の熱伝達を高めるためには、乱流体リブを用いることができる。
【００３７】
図４には、フィレットを備えた乱流体リブ５の典型的な実施形態の一部が示されており、フィレットは、冷却向上のために、乱流体リブ５の下流側で、冷却式の壁１，２の内部に向かって延びている。フィレットが形成される前の冷却式の壁１，２の原形は、破線で示されている。半径Ｒ１を有するフィレットは、冷却式の壁の内部に侵入深さδで侵入しており、これにより、少なくとも部分的に、丸み付けられた先端角隅部及びフィレットのネガティブな影響は補償されている。本実施形態では、冷却式の壁１，２の内部に向かって延びているフィレットの基部から、後続の乱流体リブ５の開始部までの間に、直線状の移行部が示されている。即ち、曲率半径Ｒ３は無限大である。有限の半径を有する曲率も考えられるか、或いは１つの移行部において曲線区間と直線区間の組み合わせを用いてもよい。
【００３８】
図５には、乱流体リブ５の第２の典型的な実施形態の一部が示されている。この実施形態では、１つのフィレットは冷却向上のために乱流体リブ５の下流側で冷却式の壁１，２の内部に向かって延びており、且つ１つのフィレットは冷却向上のために乱流体リブ５の上流側で冷却式の壁１，２の内部に向かって延びている。図示の実施形態において半径Ｒ１を有する両フィレットは、侵入深さδまで、冷却式の壁１，２の内部に侵入している。フィレットは、９０°よりも大きな中心角Φを有する弧の形状を有している。フィレットが形成される前の冷却式の壁１，２の原形は、破線で示されている。本実施形態では、冷却式の壁１，２の内部に向かって延びるフィレットの基部から、冷却式の壁１，２の本来の壁の厚さまで移行している移行部が示されている。この移行部は、直線区間を有しており、この直線区間には、有限の半径Ｒ３を有する曲線部が続いている。
【００３９】
図６には、翼３の典型的な断面図が示されている。翼３は、第１の側壁１と、対向する第２の側壁２とを有しており、第１及び第２の側壁１，２は、前縁と後縁とにおいて互いに結合されていて、根元から先端部まで、長手方向に延びている。翼３は更に、内部冷却流路４を有しており、この内部冷却流路４は、前記第１及び第２の冷却側壁１，２の間で長手方向に延びていて、翼３を冷却するための冷却流１４を案内する。内部冷却流路４は、第１の冷却側壁１と第２の冷却側壁２とに乱流体リブ５を有している。
【００４０】
図７（図６のＡ−Ａに沿った長手方向断面図）には、ガスタービン翼３の冷却側壁２に設けられた乱流体リブ５の典型的な配置が示されている。翼３は、第１の冷却側壁１と第２の冷却側壁２との間で長手方向に延びていて、翼３を冷却するための冷却流路４に冷却媒体を案内する複数の内部通路を有している。より詳細には、冷却媒体としての冷却空気は、通常、ガスタービン１０（図１）の圧縮機８からブレードの根元を通って上昇し、翼３内へ案内される。図示の典型的な実施形態における冷却流路４は、根元から上方に向かって翼３を貫通して先端部まで延びる前縁通路と、根元から上方に向かって翼３を貫通して先端部まで延びる蛇行通路とを有している。この蛇行通路内で、冷却流は、戻し通路内へ１８０°方向転換されて、長手方向下方に向かって流れる。付加的に、図示の翼は先端部まで延びる後縁通路を有している。本実施形態では、乱流体リブ５は最初の３つの冷却通路内に配置されている。乱流体リブ５の異なる可能な断面Ｂ−Ｂ及びＣ−Ｃの例は、従来型の理想的な乱流体リブについては図２に、及び従来型の実際の乱流体リブについては図３に、典型的な実施形態については図４及び図５に示されている。
【００４１】
このように、当業者は本発明の思想又は本質的な特徴から逸脱することなく、本発明を別の形態で構成することができる。したがって、ここで開示した構成は、全ての点において例示したものであるに過ぎず、これに限定されるものではない。本開示の範囲は、上述した説明ではなく、添付請求項によって示されており、意味及び範囲及び均等範囲におけるあらゆる変更が含まれる。
【符号の説明】
【００４２】
１，２  冷却式の壁、  ３  翼、  ４  冷却流路、  ５  乱流体リブ、  ６  流入空気、  ７  排出ガス、  ８  圧縮機、  ９  燃焼器、  １０  ガスタービン、  １１  タービン、  １２  燃料、  １３  発電機、  １４  冷却流、  １５  高温側、  ｈ  乱流体リブの高さ、  Ｈ  冷却流路の高さ、  Ｐ  間隔、  Ｒ１  フィレットの半径、  Ｒ２  乱流体先端角隅部の半径、  Ｒ３  曲線接続部の半径、  ｗ  乱流体リブの幅、  δ  侵入深さ
【図１】
2015511679.tif 000003
【図２】
2015511679.tif 000004
【図３】
2015511679.tif 000005
【図４】
2015511679.tif 000006
【図５】
2015511679.tif 000007
【図６】
2015511679.tif 000008
【図７】
2015511679.tif 000009
【国際調査報告】
2015511679.tif 000010
2015511679.tif 000011